(57)【要約】【課題】収納箱の外面および／または内側面とティシュペーパーとの明度差があり、視認性に優れた収納箱を提供する。【解決手段】衛生用紙を収納するための収納箱であって、衛生用紙を取り出す取出口を有し、収納箱の外面のＬ＊ａ＊ｂ＊表色系による明度Ｌ＊１値、および／または内側面のＬ＊ａ＊ｂ＊表色系による明度Ｌ＊３値と、衛生用紙の明度Ｌ＊２値との差が、５以上であることを特徴とする。【選択図】図１
2020152410.tif 000002
【特許請求の範囲】
【請求項１】
衛生用紙を収納するための収納箱であって、
前記衛生用紙を取り出す取出口を有し、
前記収納箱の外面のＬ＊ａ＊ｂ＊表色系による明度Ｌ＊１値、および／または内側面のＬ＊ａ＊ｂ＊表色系による明度Ｌ＊３値と、
衛生用紙の明度Ｌ＊２値との差が、５以上であることを特徴とする収納箱。
【請求項２】
前記収納箱の外面は、前記取出口を有する取出口面および当該取出口面に角縁を介して連続する外側面をさらに有し、前記外側面のうちの少なくとも一面に、切抜開口部を有することを特徴とする請求項１に記載の収納箱。
【請求項３】
前記明度Ｌ＊１値は、９５以下であることを特徴とする請求項１または請求項２に記載の収納箱。
【請求項４】
前記明度Ｌ＊１値は、８５未満であることを特徴とする請求項１から請求項３の何れか一項に記載の収納箱。
【請求項５】
前記明度Ｌ＊２値は、８５以上であることを特徴とする請求項１から請求項４の何れか一項に記載の収納箱。
【請求項６】
前記明度Ｌ＊３値は、９５以下であることを特徴とする請求項１から請求項５の何れか一項に記載の収納箱。
【請求項７】
前記収納箱には、前記切抜開口部を覆うように透明または半透明のシートが設けられていることを特徴とする請求項１から請求項６の何れか一項に記載の収納箱。
【発明の詳細な説明】
【技術分野】
【０００１】
本発明は、ティシュペーパーを収納する収納箱に関する。
【背景技術】
【０００２】
従来、ティシュペーパーなどの衛生用紙は、収納箱に収納して使用されている。その収納箱内のティシュペーパーの残量は、一般的には、取出し口から確認されている。
【０００３】
特許文献１では、取出し口から確認することなく、収納箱の側面の一部を切り抜いた収納箱が開示されている。
【０００４】
特許文献２では、収納箱の側面に切り抜いた窓を設けた収納箱が開示されている。
【先行技術文献】
【特許文献】
【０００５】
【特許文献１】特開２００８−６８９２１号公報
【特許文献２】実開平６−３１５９９号公報
【発明の概要】
【発明が解決しようとする課題】
【０００６】
しかしながら、一方、当該切り抜いた窓に対して、文字、記号、図形、例えば、デザイン性をもたされることが考えられる。収納箱の側面とティシュペーパーが同じ色の場合、そのデザインが分かりにくいことがある。すなわち、収納箱の側面のデザインの明度とティシュペーパーの明度が同じ場合、デザインとティシュペーパーが同化してしまい、デザインが分かり辛い場合があり、視認性に欠けることがある。また、取出し口や当該切り抜いた窓、すなわち、収納箱の外面に設けられた開口部などから内部を覗くとしても、収納箱の外面および内側面の明度とティシュペーパーの明度が同じ場合、外面および内側面とティシュペーパーとが同化してしまい、残量が分かり辛い場合がある。
【０００７】
よって、本発明の目的は、収納箱の外面および／または内側面とティシュペーパーとの明度差があり、視認性に優れた収納箱を提供することにある。
【課題を解決するための手段】
【０００８】
衛生用紙を収納するための収納箱であって、衛生用紙を取り出す取出口を有し、収納箱の外面のＬ＊ａ＊ｂ＊表色系による明度Ｌ＊１値、および／または内側面のＬ＊ａ＊ｂ＊表色系による明度Ｌ＊３値と、衛生用紙の明度Ｌ＊２値との差が、５以上であることを特徴とする。
【発明の効果】
【０００９】
本発明によれば、収納箱の外面および／または内側面と衛生用紙との明度差があり、使用者に視認しやすくすることができる。
【図面の簡単な説明】
【００１０】
【図１】本発明の第１実施形態に係る収納箱を示す斜視図である。
【図２】図１の収納箱の展開シートを示す上面図である。
【図３】図１の収納箱の展開シートを示す下面図である。
【図４】本発明の第１実施形態に係る収納箱に有する切抜開口部の構成を示す平面図である。
【図５】本発明の第１実施形態に係る収納箱に収納されているティシュペーパーの残量が５０％のときを示す平面図である。
【図６】本発明の第１実施形態に係る収納箱に収納されているティシュペーパーの残量が０％ときを示す平面図である。
【図７】図３と異なる切抜開口部によるパターン模様を示す平面図である。
【図８】本発明の第２実施形態に係る収納箱にティシュペーパー収納されているときを示す平面図である。
【図９】本発明の第２実施形態に係る収納箱に収納されているティシュペーパーの残量が５０％のときを示す平面図である。
【図１０】本発明の第２実施形態に係る収納箱に収納されているティシュペーパーの残量が０％のときを示す平面図である。
【図１１】本発明の第３実施形態に係る収納箱に収納されているティシュペーパーの残量が５０％のときを示す斜視図である。
【図１２】図１１の収納箱の展開シートを示す下面図である。
【図１３】比較例における収納箱に収納されているティシュペーパーの残量が５０％のときを示す斜視図である。
【図１４】図１３の収納箱の展開シートを示す下面図である。
【図１５】本発明の第４実施形態に係る収納箱に収納されるティシュペーパーの残量が５０％のときを示す斜視図である。
【図１６】図１５の収納箱の展開シートを示す下面図である。
【発明を実施するための形態】
【００１１】
以下、図面を参照して本発明を詳細に説明する。
【００１２】
（第１実施形態）
図１は、本発明の第１実施形態に係る収納箱の斜視図である。また、図２は、図１の収納箱を展開した展開シートの上面図である。本実施形態の収納箱１０は、ティシュペーパーＰをポップアップ式に取出し可能にティシュペーパーＰの束を収納するための収納箱である。
【００１３】
収納箱１０は、天面と底面と一対の短側面と一対の長側面を備えた略直方体形状の構造である。天面１１と対向する底面１４と、天面１１の長手方向側辺につながる第１長側面１２と、天面１１と底面１４との間に位置する長手方向側辺につながる第２長側面１３によって、長手方向の各面を形成している。すなわち、第１長側面１２、天面１１、第２長側面１３、底面１４の順に並び、底面１４における第２長側面１３側と反対側に設けられた糊しろ８が第１長側面１２と接合され、収納箱１０が形成されている。また、本実施形態では、一辺が他辺よりも長い直方体の収納箱１０を一例として説明するが、これに限るものではなく、収納箱としては、例えば直方体に含まれる立方体でもよい。
【００１４】
この収納箱１０は、天面１１、第１長側面１２、第２長側面１３および底面１４が紙製の硬質材で作製されて、そのうちの一面である天面１１（取出口面）の中央付近に、長手方向に延長されている長穴１５（以下、取出し口ともいう）が形成されている。長穴１５は、収納箱１０内に収納されるティシュペーパーＰの束から、その最上位にあるティシュペーパーＰを取り出すようになっている。また、天面１１の内側にプラスチック製のフィルム１９が貼付されている。フィルムによって、ホコリ等が収納箱１０に侵入しないように閉塞されている。さらに、フィルムには、取出し口１５の長手方向に沿ってスリット１９ａが形成されており、このスリット１９ａを介してティシュペーパーＰを取り出すことができる。
【００１５】
図２に示す、収納箱１０の展開シート１０ａにおいて、本実施形態の収納箱１０の第２長側面１３は、全面に黒色などの色材を塗布する塗布部１２ａが形成されている。さらに、第２長側面１３は、形成領域２０内に、内部空間Ｓを目視により把握して内部状況を視認可能に切り抜かれた形態で開口する複数の切抜開口部２１を有している。本発明では、これに限らず、収納箱１０の天面１１および収納箱１０の短側面の少なくとも一面に切抜開口部２１を有してもよい。また、切抜開口部２１としては、本実施形態のように円形に限るものではなく、例えば、矩形などの定型、動物などのイラスト、文字、図形および記号などを規則配置または不規則配置するパターン模様を形成するようにしてもよい。
【００１６】
また、図３は、図１の収納箱１０の展開した展開シートの下面図である。本実施形態の収納箱１０の第２長側面１３の対向面である第１長側面１２の内側面には、全面に黒色などの色材を塗布する塗布部１２ｂが形成されている。本実施形態では、第１長側面１２の全面に形成するとしているが、切抜開口部２１から視認可能な範囲内のみに形成するようにしてもよい。また、第１長側面１２の内側面に塗布部１２ｂを形成するとしたが、これに限られることなく、切抜開口部２１から視認可能であれば、後述する各内フラップ６、７と外フラップ１６、１７から形成される短側面１８の内側面に塗布部を形成してもよい。
【００１７】
収納箱１０には、天面１１の短手方向側辺につながる外フラップ１６と、底面１４の短手方向側辺につながる外フラップ１７と、第１長側面１２の短手方向側辺につながる内フラップ６と、第２長側面１３の短手方向側辺につながる内フラップ７とによって、短手方向の各面を形成している。そして、第１長側面１２、天面１１、第２長側面１３、底面１４、糊しろ８のそれぞれの境界には、折り曲げるための折り曲げ線が形成されている。第１長側面１２と天面１１との境界には、第１折り曲げ線Ｌ１が形成されている。そして、天面１１と第２長側面１３との境界には、第２折り曲げ線Ｌ２が形成されている。また、第２長側面１３と底面１４との境界には、第３折り曲げ線Ｌ３が形成されている。さらに、底面１４と糊しろ８との境界には、第４折り曲げ線Ｌ４が形成されている。したがって、各面を折り返し、貼り合せることで四角柱状の筒状にすることができる。すなわち、第１長側面１２および第２長側面１３は、天面１１に角縁を介して連続している。
【００１８】
さらに、上述した四角柱形状の筒状の状態に、ティシュペーパーＰを積層したティシュペーパーＰの束を収納したら、内フラップ６及び７を内側にそれぞれを折り返す。そして、底面１４の短手方向側辺につながる外フラップ１７をそれぞれ内側に折り返し、天面１１の短手方向側辺につながる外フラップ１６をそれぞれ内側に折り返し、内フラップ６および７の上に重ねて折り曲げられて、短側面１８が形成される。よって、図１に示すように、収納箱１０にティシュペーパーＰの束が収納される。
【００１９】
本実施形態では、図４に示すように、第２長側面１３は、形成領域２０内に、収納箱１０の内部空間Ｓを目視により把握して内部状況を視認可能に切り抜かれた形態で開口する複数の切抜開口部２１を有している。切抜開口部２１は、図２に示す展開シート１０ａの状態と同様に、例えばレーザー加工機によって切り抜くことにより形成される。ここで、本実施形態では、第２長側面１３の形成領域２０内に切抜開口部２１を形成したが、これに限るものではなく、第１長側面１２や各内フラップおよび外フラップによって形成される短側面１８に形成してもよい。さらに、収納箱１０の一面の所望の形成領域内に、適宜の寸法・形状に形成した切抜開口部２１を配置して、所謂、デザイン模様や風景等を線図などと区別して表現するようにしてもよい。
【００２０】
本実施形態の第２長側面１３の内側には、切抜開口部２１を覆うように収納箱１０の内側面を視認可能な可視光を透過する透明または半透明のシート１３ｂが設けられている。これは、天面１１の取出し口１５に貼り付けられているフィルム１９と同様に、ホコリ等が収納箱１０に侵入しないように閉塞されている。本実施形態では、シート１３ｂを第２長側面１３の内側に設けるとしたが、これに限ることなく、第２長側面１３の外側、または内側および外側の両方に貼り付けられてもよい。
【００２１】
ここで、本発明の「Ｌ＊ａ＊ｂ＊表色系」は、ＣＩＥ（国際照明委員会）１９７６（ＪＩＳ  Ｚ  ８７８１−４）で規定された表色系である。明度Ｌ＊値を変化させることで、色に対して、暗くすることや薄くすることによって、観者は視認しやすいと判断する。
【００２２】
そこで、本実施形態では、収納箱１０の外面である第２長側面１３の外側面のＬ＊ａ＊ｂ＊表色系による明度Ｌ＊値を、明度Ｌ＊１値とする。そして、本実施形態では、ＪＩＳ  Ｚ  ８７８１−４に規定されるＣＩＥ（国際照明委員会）Ｌ＊ａ＊ｂ＊表色系における第１長側面１２の内側面および／または第２長側面１３の外側面およびティシュペーパーＰのＬ＊ａ＊ｂ＊表色系をＤ６５光源および２度の視野条件で分光光度計（「９３９（型番）」，エックスライト社製）を用いて測定する。収納箱１０の第１長側面１２の内側面および／または第２長側面１３の外側面を測定する場合、任意の３０点を測定し、その平均値を本発明の測定値とする。ただし、第２長側面１３の内側の切抜開口部２１は避けて測定を行う。また、ティシュペーパーＰを測定する場合、２プライで１組のティシュペーパーであれば１０枚（１０組）を重ねて測定をする。
【００２３】
また、第２長側面１３の外側面の明度Ｌ＊１値は、９５以下であり、好ましくは、９０未満、より好ましくは８５未満であり、さらにより好ましくは６５未満であり、さらにまたより好ましくは、４０未満である。そして、衛生用紙であるティシュペーパーＰのＬ＊ａ＊ｂ＊表色系による明度Ｌ＊値を、明度Ｌ＊２値とする。また、ティシュペーパーＰの明度Ｌ＊２値は、８０以上であり、好ましくは、９０以上であり、より好ましくは９３以上であり、さらにまたより好ましくは９５以上である。第２長側面１３の外側面のＬ＊１値とティシュペーパーＰのＬ＊２値との差が５以上であり、好ましくは、１０以上であり、より好ましくは２０以上であり、さらに好ましくは３０以上であり、さらにより好ましくは６０以上である。よって、本実施形態によれば、収納箱１０の第２長側面１３に形成された複数の切抜開口部２１とティシュペーパーＰとの明度差があり、使用者に当該文字、記号、図形等を視認しやすくすることができる。すなわち、第２長側面１３の外側面の明度とティシュペーパーＰの明度に差を設けることで、第２長側面１３の切抜開口部２１からティシュペーパーＰが視認しやすくなる。
【００２４】
そして、さらに、本実施形態では、収納箱１０において、第２長側面１３の対向面である第１長側面１２の内側面のＬ＊ａ＊ｂ＊表色系による明度Ｌ＊値を、明度Ｌ＊３値とする。また、第１長側面１２の内側面の明度Ｌ＊３値は、９５以下であり、好ましくは９０未満であり、より好ましくは、８０未満であり、さらに好ましくは８５未満であり、さらにより好ましくは、６５未満である。また、第１長側面１２の内側面の明度Ｌ＊３値とティシュペーパーＰのＬ＊２値との差が５以上であり、好ましくは１０以上であり、より好ましくは１５以上であり、さらに好ましくは３０以上である。これにより、収納箱１０からティシュペーパーＰが取り出され、収納箱内１０のティシュペーパーＰの束が徐々に少なくなることが使用者に視認しやすくなる。詳細については、図４〜図６を用いて説明する。
【００２５】
図４は、収納箱１０内に収納されたティシュペーパーＰが未使用（１００％）の状態である。収納箱１０は、例えば、第２長側面１３の外側面の明度Ｌ＊１値を１０とし、ティシュペーパーＰの明度Ｌ＊２値を８０程度とし、第１長側面１２の内側面の明度Ｌ＊３値は０とする。これによって、第２長側面１３の外側面とティシュペーパーＰとの明度に差が出て収納箱１０内が視認しやすく、切抜開口部２１を介して、収納箱１０の内部にティシュペーパーＰの束が天面１１から底面１４まで入っていることが確認できる。明度Ｌ＊１値を１０、明度Ｌ＊２値を８０としたが、これに限られるものでなく、明度Ｌ＊１値と明度Ｌ＊２値との差が５以上の条件を満たせばどのような値でもよい。
【００２６】
そして、収納箱１０からティシュペーパーＰが徐々に取り出されると、収納箱１０内のティシュペーパーＰの束の残量も減少する。図５は、収納箱１０内のティシュペーパーＰの束の残量が５０％の状態を示す図である。複数の切抜開口部２１のうち、天面１１から第２長側面１３の中央までの切抜開口部２１は、第１長側面１２の内側面の黒色となる。これは、ティシュペーパーＰが無くなり、第２長側面１３と対向する第１長側面１２の内側面の黒色が確認でき、使用者に収納箱１０のティシュペーパーＰの束の残量が５０％であることを視認させることができる。
【００２７】
さらに、収納箱１０からティシュペーパーＰが取り出され、収納箱１０内のティシュペーパーＰが無くなると図６のようになる。図６は、収納箱１０内に収納されたティシュペーパーＰの残量がない（０％）状態を示す図である。第２長側面１３に有している切抜開口部２１のすべてにおいて、切抜開口部２１を介して、第１長側面１２の内側面を視認することができる。この状態になると、収納箱１０内にティシュペーパーＰがないことを使用者に知らせることが可能となる。
【００２８】
切抜開口部２１の形成領域２０としては、図３に示すように、収納箱１０の第２長側面１３および短側面１８に対して平行に沿うように延長されている形状に限るものではない。
【００２９】
例えば、形成領域２０として、図７（ａ）に示すように、第２長側面１３において、第２折り曲げ線Ｌ２に沿うように長尺形状に延長されているとともに、その中央付近が底面１４に接近する方向に延長されている、すなわち、漏斗の形状になるように形成するようにしてもよい。この場合には、消費が少ない時に、天面１１と平行に長い範囲でティシュペーパーＰを切抜開口部２１から視認させることができ、また、その消費が進んで残量が少なくなったときには、その漏斗形状の切抜開口部２１の先端側の小さな面積の端部でティシュペーパーＰを視認させることができ、その残量に応じた印象で知らせることができる。
【００３０】
さらに、形成領域２０としては、図７（ｂ）に示すように、第２長側面１３において、天面１１と一方の短尺な短側面１８とによって挟まれる角部１３ｃ１から、底面１４と他方の短尺な短側面１８とによって挟まれる角部１３ｃ２に向かうように、直線的に斜め方向に延長されている形状に形成してもよい。この場合には、ティシュペーパーＰの残量が天面１１に接近する多い状態から底面１４に接近する少ない状態までの範囲を表示可能にすることができ、切抜開口部２１から視認するティシュペーパーＰの長さによって、その残量を把握させることができる。
【００３１】
このように、本発明の実施形態の収納箱によれば、収納箱１０の内側面の明度と、ティシュペーパーＰの明度との差を５以上とすることで、収納箱内のティシュペーパーの残量を使用者に知らせ、把握しやすくすることができる。さらに、使用者が収納箱内のティシュペーパーの残量を知るには、収納箱の側面に限らず、天面に設けられた切抜開口部や取出し口から把握しやすくすることができる。
【００３２】
（第２実施形態）
続いて、図８〜図１０を参照し、本発明の第２実施形態について説明する。本実施形態では、切抜開口部２１を有する第２長側面１３の外側面の明度において、第１実施形態と異なっている。以下、本実施形態に係る第１長側面１２について、第１実施形態と相違について説明する。なお、特に明記しない点に関しては、第１実施形態と同様であり、同一の符号を付して詳細な説明は省略する。
【００３３】
図８は、収納箱１０内に収納されたティシュペーパーＰが未使用（１００％）の状態である。第２実施形態では、収納箱１０は、例えば、第２長側面１３の外側面の明度Ｌ＊１値を９５とし、ティシュペーパーＰの明度Ｌ＊２値を８０とする。本実施形態の収納箱１０では、第１実施形態と同様に、第２長側面１３の外側面のＬ＊１値とティシュペーパーＰのＬ＊２値との差が５以上である。第２長側面１３の外側面の明度とティシュペーパーＰの明度に差を設けることで、第２長側面１３の切抜開口部２１からティシュペーパーＰが視認しやすくなる。よって、本実施形態によれば、収納箱１０の第２長側面１３に形成された複数の切抜開口部２１とティシュペーパーＰとの明度差があり、使用者に当該文字、記号、図形等を視認しやすくすることができる。
【００３４】
そして、さらに、第１実施形態と同様に、収納箱１０において、第２長側面１３の対向面である第１長側面１２の内側面のＬ＊ａ＊ｂ＊表色系による明度Ｌ＊値を、明度Ｌ＊３値とし、本実施形態では、明度Ｌ＊３値を０とする。第１長側面１２の内側面の明度Ｌ＊３値とティシュペーパーＰの明度Ｌ＊２値との差が５以上である。また、第２長側面１３は、上述したように、形成領域２０内に、内部空間Ｓを目視により把握して内部状況を視認可能に切り抜かれた形態で開口する複数の切抜開口部２１を有している。これによって、第２長側面１３の外側面とティシュペーパーＰとの明度に差があるため、切抜開口部２１を介して、収納箱１０の内部にティシュペーパーＰの束が視認可能である。収納箱１０の第１長側面１２の内側面の明度よりも収納箱１０の第２長側面１３の外側面の明度のほうが高い。そのため、使用者には、ティシュペーパーＰが取り出され、収納箱１０内のティシュペーパーＰの残量が視認しやすい。
【００３５】
そして、収納箱１０からティシュペーパーＰが徐々に取り出されると、収納箱１０内のティシュペーパーＰの束の残量も減少する。収納箱１０内のティシュペーパーＰの束の残量が５０％となると、図９のようになる。収納箱１０の複数の切抜開口部２１のうち、天面１１から第２長側面１３の中央までの切抜開口部２１内が黒色となる。これは、ティシュペーパーＰが無くなり、第２長側面１３の切抜開口部２１を介して、第１長側面１２の内側面の色が確認でき、使用者は収納箱１０のティシュペーパーＰの束の残量が５０％であることを視認させることができる。
【００３６】
さらに、収納箱１０からティシュペーパーＰが取り出され、収納箱１０内のティシュペーパーＰが無くなると図１０のようになる。図１０は、収納箱１０内に収納されたティシュペーパーＰの残量が０％のときの状態を示す図である。収納箱１０では、第２長側面１３が有している複数の切抜開口部２１内のすべてにおいて、第１長側面１２の内側面の色である黒色が視認することができる。この状態になると、収納箱１０内にティシュペーパーＰがないことを使用者に知らせる。
【００３７】
このように、本実施形態においても、収納箱１０の長側面に有する切抜開口部を介して、収納箱内のティシュペーパーの残量を、使用者は適宜確認することができる。
【００３８】
（第３実施形態）
続いて、図１１は、収納箱１０内に収納されたティシュペーパーＰの束が５０％の状態である。図１２は、図１１の収納箱の展開シートを示す下面図である。本実施形態では、第２長側面１３の外側面の明度Ｌ＊１値、ティシュペーパーＰの明度Ｌ＊２値および第１長側面１２の内側面の明度Ｌ＊３値が、それぞれ異なっている。以下、特に明記しない点に関しては、第１実施形態と同様であり、同一の符号を付して詳細な説明は省略する。
【００３９】
本発明の収納箱１０は、第２長側面１３の外側面の明度Ｌ＊１値は、６２とし、ティシュペーパーＰの明度Ｌ＊２値を９６とし、第１長側面１２の内側面の明度Ｌ＊３値を８３とする。明度Ｌ＊１値と、明度Ｌ＊２値との差は３４であり、明度Ｌ＊３値と、明度Ｌ＊２値との差は１３である。本実施形態の収納箱１０において、モニターにティシュペーパーＰを収納箱１０から抜き取る際に、取出し口および第２長側面の外側面から収納箱１０内のティシュペーパーＰの束の残量が分かるかの評価と、第２長側面１３の切り抜き部分がはっきり認識できるかの評価を行った。
【００４０】
結果として、収納箱１０内のティシュペーパーＰの束の残量が取出し口から分かると評価したのは、モニターの約半数であった。また、収納箱１０内のティシュペーパーＰの束の残量が第２長側面１３の外側面から分かると評価したのは、モニターの約９割であった。そして、第２長側面１３の切り抜き部分が認識できるとしたのも約９割であった。
【００４１】
一方、比較例として、図１３は、収納箱１０内に収納されたティシュペーパーＰの束が５０％の状態である。また、図１４は、図１３の収納箱１０の展開シートを示す下面図である。比較例では、第２長側面１３の外側面の明度Ｌ＊１値と第１長側面１２の内側面の明度Ｌ＊３値とが同じ値で、これらとティシュペーパーＰの明度Ｌ＊２値とが異なっている。
【００４２】
収納箱１０は、第２長側面１３の外側面の明度Ｌ＊１値および第１長側面１２の内側面の明度Ｌ＊３値を９２とし、ティシュペーパーＰの明度Ｌ＊２値を９６とする。明度Ｌ＊１値と、明度Ｌ＊２値との差が４であり、明度Ｌ＊３値と、明度Ｌ＊２値との差も４である。上記、本発明の収納箱１０と同様に、モニターにティシュペーパーＰを収納箱１０から抜き取る際に、取出し口および第２長側面の外側面から収納箱１０内のティシュペーパーＰの束の残量が分かるかの評価と、第２長側面１３の切り抜き部分がはっきり認識できるかの評価を行った。
【００４３】
結果として、収納箱１０内のティシュペーパーＰの束の残量が取出し口から分かると評価したのは、モニターの約１割にしか満たなかった。また、収納箱１０内のティシュペーパーＰの束の残量が第２長側面１３の外側面から分かると評価したのは約半数であった。そして、第２長側面１３の切り抜き部分が認識できるとしたのも約半数であった。
【００４４】
このように、本実施形態と比較例とを比較すると、それぞれの明度差が５以上であると、取出し口および収納箱１０の長側面に有する切抜開口部を介して、収納箱内のティシュペーパーの残量を、使用者は適宜確認することができる。
【００４５】
（第４実施形態）
続いて、図１５は、収納箱１０内に収納されたティシュペーパーＰの束が５０％の状態である。図１６は、図１５の収納箱の展開シートを示す下面図である。本実施形態では、天面１１および第２長側面１３の外側面の明度Ｌ＊１値と、第１長側面１２の内側面の明度Ｌ＊３値と、ティシュペーパーＰの明度Ｌ＊２値とが異なっている。また、本実施形態では、第２長側面１３の外側面に切抜開口部を有していない。以下、特に明記しない点に関しては、第１実施形態と同様であり、同一の符号を付して詳細な説明は省略する。
【００４６】
収納箱１０は、天面１１および第２長側面１３の外側面の明度Ｌ＊１値を６２とし、第１長側面１２の内側面の明度Ｌ＊３値を８３とし、ティシュペーパーＰの明度Ｌ＊２値を９６とする。明度Ｌ＊１値と、明度Ｌ＊２値との差が３４であり、明度Ｌ＊３値と、明度Ｌ＊２値との差が１３である。本実施形態の収納箱１０において、モニターにティシュペーパーＰを収納箱１０から抜き取る際に、取出し口から収納箱１０内のティシュペーパーＰの束の残量が分かるかの評価を行った。
【００４７】
結果として、収納箱１０内のティシュペーパーＰの束の残量が取出し口から分かると評価したのは、モニターの約半数であった。
【００４８】
このように、本実施形態において、収納箱１０の取出し口を介して、収納箱内のティシュペーパーの残量を、使用者は適宜確認することができる。
【００４９】
（その他）
なお、本発明は、上述した実施形態に限られること無く、適宜の変形、修正および代替などが可能である。例えば、本実施形態では、短側面に切抜開口部を形成し、その短側面の対向面の明度を適宜決定するようにしてもよい。また、長側面の一部を切り抜いてデザインを付与するようにしてもよい。
【００５０】
さらに、上述した、収納箱の外面および内側面の明度と、ティシュペーパーＰの明度との差が５以上であるとしたが、これに限られることは無く、収納箱の外面のみの明度と、ティシュペーパーＰの明度との差が５以上あってもよい。これによって、収納箱の外面に設けられた切抜開口部からティシュペーパーの残量を視認しやすくなる。さらにまた、収納箱の内側面のみの明度と、ティシュペーパーＰの明度との差が５以上であってもよい。これによって、収納箱の取出し口からティシュパーパーの残量を視認しやすくなる。
【符号の説明】
【００５１】
１０    収納箱
１０ａ  展開シート
１１    天面
１２    第１長側面
１２ｂ  塗布部
１３    第２長側面
１３ａ  塗布部
１４    底面
１５    取出し口
１６    外フラップ
６    内フラップ
１７    外フラップ
７    内フラップ
８    糊しろ
【図１】
2020152410.tif 000003
【図２】
2020152410.tif 000004
【図３】
2020152410.tif 000005
【図４】
2020152410.tif 000006
【図５】
2020152410.tif 000007
【図６】
2020152410.tif 000008
【図７】
2020152410.tif 000009
【図８】
2020152410.tif 000010
【図９】
2020152410.tif 000011
【図１０】
2020152410.tif 000012
【図１１】
2020152410.tif 000013
【図１２】
2020152410.tif 000014
【図１３】
2020152410.tif 000015
【図１４】
2020152410.tif 000016
【図１５】
2020152410.tif 000017
【図１６】
2020152410.tif 000018
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
衛生用紙を収納するための衛生用紙収納箱であって、
前記衛生用紙を取り出す取出口を有し、
前記衛生用紙収納箱の外面のＬ＊ａ＊ｂ＊表色系による明度Ｌ＊１値、および内側面のＬ＊ａ＊ｂ＊表色系による明度Ｌ＊３値と、
衛生用紙の明度Ｌ＊２値との差が、５以上であることを特徴とする衛生用紙収納箱。
【請求項２】
前記衛生用紙収納箱の外面は、前記取出口を有する取出口面および当該取出口面に角縁を介して連続する外側面をさらに有し、前記外側面のうちの少なくとも一面に、切抜開口部を有することを特徴とする請求項１に記載の衛生用紙収納箱。
【請求項３】
前記明度Ｌ＊１値は、９５以下であることを特徴とする請求項１または請求項２に記載の衛生用紙収納箱。
【請求項４】
前記明度Ｌ＊１値は、８５未満であることを特徴とする請求項１から請求項３の何れか一項に記載の衛生用紙収納箱。
【請求項５】
前記明度Ｌ＊２値は、８５以上であることを特徴とする請求項１から請求項４の何れか一項に記載の衛生用紙収納箱。
【請求項６】
前記明度Ｌ＊３値は、９５以下であることを特徴とする請求項１から請求項５の何れか一項に記載の衛生用紙収納箱。
【請求項７】
前記衛生用紙収納箱には、前記切抜開口部を覆うように透明または半透明のシートが設けられていることを特徴とする請求項１から請求項６の何れか一項に記載の衛生用紙収納箱。
【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
衛生用紙を収納するための衛生用紙収納箱であって、
前記衛生用紙を取り出す取出口を有し、
前記衛生用紙収納箱の外面のＬ＊ａ＊ｂ＊表色系による明度Ｌ＊１値、および内側面のＬ＊ａ＊ｂ＊表色系による明度Ｌ＊３値と、
衛生用紙の明度Ｌ＊２値との差が、５以上であり、
前記衛生用紙収納箱の外面は、前記取出口を有する取出口面および当該取出口面に角縁を介して連続する外側面をさらに有し、前記外側面のうちの少なくとも一面に、切抜開口部を有し、
前記明度Ｌ＊２値は、８５以上であり、
前記明度Ｌ＊３値は、９５以下であることを特徴とする衛生用紙収納箱。
【請求項２】
前記明度Ｌ＊１値は、９５以下であることを特徴とする請求項１に記載の衛生用紙収納箱。
【請求項３】
前記明度Ｌ＊１値は、８５未満であることを特徴とする請求項１または請求項２に記載の衛生用紙収納箱。
【請求項４】
前記衛生用紙収納箱には、前記切抜開口部を覆うように透明または半透明のシートが設けられていることを特徴とする請求項１から請求項３の何れか一項に記載の衛生用紙収納箱。